Podtech/llm-jp-corpus-v4-ja_patent huggingface dataset:
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
ヒト対象におけるアパシー症候群を治療するための医薬組成物であって：
一般式（Ｉ）の２−オキソピロリジン化合物、又は医薬的に許容し得るその塩
【化１】
2008538583.tif 000001
（式中、
Ｒは水素、ヒドロキシ又はアミノメチルであり；
Ｒ’は水素又はピペリジノカルボニル基であり；
Ｒ”は水素；ジ（Ｃ1−Ｃ4）アルキルアミノ−（Ｃ2−Ｃ4）アルキル基でＮ置換されていてもよいアミノカルボニルアルキル；ベンゼン環をメチル、メトキシ若しくはハロゲンで一若しくは二置換されていてもよいアニリノカルボニルアルキル；又はベンゼン環をメチル、メトキシ若しくはハロゲンで一若しくは二置換されていてもよいベンジルであり；
ここで、Ｒ、Ｒ’、及びＲ”のうち１又は２つが水素であり；
但し、Ｒ’が水素以外の場合には、Ｒ及びＲ”が何れも水素であり、Ｒが水素以外の場合には、Ｒ’が水素である）
を、有効成分として含有すると共に、
対象が１又は２以上のアパシーの行動特性を示している場合、前記対象に対して前記有効成分を、前記特性に改善を生じさせるのに有効な量投与するのに使用される組成物。
【請求項２】
前記ヒト対象が、前頭皮質下（frontal-subcortical）機能不全に関連する病気、又は前頭皮質下機能不全を特徴とする病気の患者である、請求項１記載の組成物。
【請求項３】
前記ヒト対象が、発作、アルツハイマー病、パーキンソン病、外傷性脳損傷、鬱病、統合失調症、慢性Ｃ型肝炎感染、又はＨＩＶ感染の患者である、請求項１記載の組成物。
【請求項４】
前記ヒト対象が鬱病の患者である、請求項３記載の組成物。
【請求項５】
前記ヒト対象が発作の患者である、請求項３記載の組成物。
【請求項６】
前記２−オキソピロリジン化合物が、ネフィラセタム、ピラセタム、アニラセタム、プラミラセタム、ネブラセタム、ファソラセタム、レベチラセタム、又はオキシラセタムである、請求項１記載の組成物。
【請求項７】
前記２−オキソピロリジン化合物がネフィラセタムである、請求項４記載の組成物。
【請求項８】
ネフィラセタムの有効量が、成人対象一人当たり約３００から約１８００ｍｇ／日の範囲である、請求項７記載の組成物。
【請求項９】
ネフィラセタムの有効量が、成人対象一人当たり約６００ｍｇから約１２００ｍｇ／日の範囲である、請求項８記載の組成物。
【請求項１０】
前記投与が最低でも数週間の長期に亘って行なわれる、請求項１記載の組成物。
【請求項１１】
前記投与が経口投与である、請求項１記載の組成物。
【請求項１２】
前記対象の評価が、アパシー尺度（Apathy Scale）又はアパシー評価尺度（Apathy Evaluation Scale）に基づいて前記対象のスコアを決定することにより行なわれる、請求項１記載の組成物。
【請求項１３】
前記対象を定期的に試験し、アパシー尺度又はアパシー評価尺度に基づく前記対象のスコアを決定し、
前記スコアに改善が見られるまで、必要に応じて、前記化合物の用量が調節される、請求項１２記載の組成物。
【請求項１４】
前記対象の認知機能の改善に有効である、請求項１記載の組成物。
【請求項１５】
記号数字様相試験（symbol digit modality test）に基づく前記対象のスコアが改善される、請求項１４記載の組成物。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
リポソーム中に捕捉されたアンスラサイクリン化合物を含んでなる、最適以下にデバルクされた卵巣癌を有し、且つ白金化学療法薬剤で以前に処置された患者の処置のための製薬学的組成物。
【請求項２】
リポソーム中に捕捉されたアンスラサイクリン化合物を含んでなる、進行卵巣癌と以前に診断され、最適以下にデバルクされ、且つ白金基剤の化学療法薬剤で以前に処置された患者の進行不在期間又は総合的生存性の改善のための製薬学的組成物。
【請求項３】
該組成物がリポソーム中に捕捉されたドキソルビシンを含んでなる、請求項１または請求項２に記載された組成物。
【請求項４】
約２８日毎に１回投与されることを特徴とする、請求項１または請求項２に記載された組成物。
【請求項５】
投与の間に少なくとも約２８日の投与間隔で、４回投与されることを特徴とする、請求項１または請求項２に記載された組成物。
【請求項６】
該組成物が親水性ポリマー鎖の表面コーティングを有するリポソームを含んでなる、請求項１−５のいずれか１項に記載された組成物。
【請求項７】
該組成物がポリエチレングリコールポリマー鎖の表面コーティングを有するリポソームを含んでなる、請求項１−４のいずれか１項に記載された組成物。
【請求項８】
静脈内に投与されることを特徴とする、請求項１−７のいずれか１項に記載された組成物。
【請求項９】
シスプラチン及びパクリタキセルを含んでなる化学療法プログラムで以前に処置された患者に投与されることを特徴とする、請求項１または請求項２に記載の組成物。
【請求項１０】
前記の以前の化学療法プログラムに対して完全な臨床的反応を有する患者に投与されることを特徴とする、請求項９に記載された組成物。
【請求項１１】
進行卵巣癌を有する患者に投与されることを特徴とする、請求項１または請求項２に記載された組成物。
【請求項１２】
段階IIIC又は段階ＩＶの卵巣癌を有する患者に投与されることを特徴とする、請求項１１に記載された組成物。
【手続補正書】
【提出日】平成21年4月21日(2009.4.21)
【手続補正１】
【補正対象書類名】明細書
【補正対象項目名】００１４
【補正方法】変更
【補正の内容】
【００１４】
式(Ｉ)の化合物は、遊離のまたは酸付加塩の形態で存在する。この明細書中において、特記しない限り、“式(Ｉ)の化合物”のような語は、全ての形態(例えば遊離塩基または酸付加塩の形態)の該化合物を含むと理解されるべきである。薬学的使用に不適当であるが、例えば遊離の式(Ｉ)の化合物の単離または精製に用いられ得る塩、例えばピクリン酸塩または過塩素酸塩もまた含まれる。治療的使用のためには、薬学的に許容される塩または遊離の化合物のみが用いられ(医薬製剤の形態で適用され得る)、従ってそれらが望ましい。
【手続補正２】
【補正対象書類名】明細書
【補正対象項目名】００１６
【補正方法】変更
【補正の内容】
【００１６】
式(Ｉ)および対応する中間体化合物中に存在する望ましい置換基、数値の望ましい範囲、または基の望ましい範囲は、以下に定義される。
【手続補正３】
【補正対象書類名】明細書
【補正対象項目名】００３６
【補正方法】変更
【補正の内容】
【００３６】
式(Ｖ)：
【化９】
2008538775.tif 000001
[式中、Ｒ６、Ｒ５、Ｒ２、Ｒ１は、上で定義した通りである。]
の化合物。
【手続補正４】
【補正対象書類名】明細書
【補正対象項目名】００３８
【補正方法】変更
【補正の内容】
【００３８】
下記の考慮を上記の個々の反応段階に適用する。
ａ) １個以上の官能基は、例えばカルボキシ、ヒドロキシ、アミノまたはメルカプトは、出発物質中で保護基によって保護される必要があり得る。用いられる保護基は、前駆体においてすでに存在してもよく、また望ましくない副反応(例えばアシル化、エーテル化、エステル化、酸化、加溶媒分解および同様の反応)に関係する官能基を保護するべきである。保護基は、それ自身、典型的には加溶媒分解、還元、光分解、または例えば生理学的条件と類似の条件下で酵素活性によって、容易に、すなわち望ましくない副反応を起こすことなく除去されること、ならびに最終生成物中では存在しないことが、保護基の特徴である。専門家は、上記および下記の反応に適切である保護基を知っているか、または容易に得られる。該保護基による該官能基の保護、保護基自身、およびその除去反応は、例えば標準的な参考書に、例えば J. F. W. McOmie, “Protective Groups in Organic Chemistry”, Plenum Press, London and New York 1973、T. W. Greene, “Protective Groups in Organic Synthesis”, Wiley, New York 1981、“The Peptides”; Volume 3 (editors: E. Gross and J. Meienhofer), Academic Press, London and New York 1981、“Methoden der organischen Chemie” (Methods of organic chemistry), Houben Weyl, 4th edition, Volume 15/I, Georg Thieme Verlag, Stuttgart 1974、H. D. Jakubke and H. Jescheit, “Aminosaeuren, Peptide, Proteine”(Amino acids, peptides, proteins), Verlag Chemie, Weinheim, Deerfield Beach, and Basel 1982、および Jochen Lehmann, “Chemie der Kohlenhydrate: Monosaccharide und Derivate”(Chemistry of carbohydrates: monosaccharides and derivatives), Georg Thieme Verlag, Stuttgart 1974 に記載されている。
【手続補正５】
【補正対象書類名】明細書
【補正対象項目名】００５１
【補正方法】変更
【補正の内容】
【００５１】
ｍＧｌｕＲ５が完全にまたは一部に介在する神経系疾患は、例えば神経系の急性、外傷性および慢性変性プロセス、例えばパーキンソン病、老年性認知症、アルツハイマー病、ハンチントン舞踏病、筋萎縮性側索硬化症、多発性硬化症、および脆弱Ｘ症候群、精神医学的疾患、例えば統合失調症および不安症、鬱病、疼痛、掻痒および薬物乱用である。不安関連疾患は、パニック障害、社会性不安、強迫性障害(ＯＣＤ)、外傷後ストレス障害(ＰＴＳＤ)、全般性不安障害(ＧＡＤ)、恐怖症を含む。
【手続補正６】
【補正対象書類名】明細書
【補正対象項目名】００７０
【補正方法】変更
【補正の内容】
【００７０】
いっそうさらなる態様において、本発明は、ｍＧｌｕ５受容体に関係する脳および末梢神経系構造を in vitro または in vivo で標識する方法であって、脳組織を本発明の薬物と接触させることを含む方法を提供する。
【手続補正７】
【補正対象書類名】明細書
【補正対象項目名】００７１
【補正方法】変更
【補正の内容】
【００７１】
本発明の方法は、本発明の薬物が標的構造を標識するかどうかを決定することを目的とするさらなる段階を含む。該さらなる段階は、陽電子放出断層撮影(ＰＥＴ)または単光子放射型コンピュータ断層撮影(ＳＰＥＣＴ)、または放射活性放射能の検出が可能な何れかの装置を用いて標的構造を観察することによって行い得る。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
１）式：
【化１】
2008538744.tif 000001
〔式中、Ｒ1は、水素原子、Ｃ1〜Ｃ10線状または分枝鎖状アルキル基またはフェニル基を表わし；
Ａは、式ｉ）〜ｖｉ）
【化２】
2008538744.tif 000002
から構成される群から選択され、
上記式中、点線および太字の線は、それぞれ−ＣＯＮＨＮＨＲ1およびＢ部分への結合を表わし、Ｒ2、Ｒ3またはＲ4は、互いに独立して−Ｈ、−ＯＨ、−ＯＣＯＣＨ3、−ＯＣＨ2Ｐｈ、−ＯＰＯ3ＮａＨおよび−ＯＰＯ3Ｈ2から構成される群から選択されるかまたはＲ2、Ｒ3またはＲ4の２つを一緒にした場合には、−ＯＰ（ＯＨ）ＯＯ−、−ＯＰ（ＯＮａ）ＯＯ−および−ＯＣ（ＣＨ3）2Ｏ−から構成される群から選択され、
ＹおよびＸは、ＮＨキャリヤーまたは酸素原子またはＣＨ2基またはＣＨＯＨ基であり；および
ｎは、１〜５０の整数であり；および
Ｂは、式ｖｉｉ）〜ｘ）
【化３】
2008538744.tif 000003
で示される一部分であり、
上記式中、太字の線は、Ａ部分への結合を示し、Ｒ5は、−Ｈ、−ＯＨ、−ＯＣＨ3、−ＳＨ、−ＳＣＨ3、−ＮＨ2、−ＮＨＣＨ3、−ＯＣＯＣＨ3、−ＯＣＨ2Ｐｈ、−ＯＣＨ2ＣＨ＝ＣＨ2および−Ｂｒから構成されている群から選択される〕で示される少なくとも１つの化合物、
２）Ｋ+、Ｎａ+、Ｌｉ+、Ｒｂ+、Ｃｓ+、Ｓｒ2+、Ｂａ2+、ＮＨ4+または（ＣＨ3）4Ｎ+から構成される群から選択された少なくとも１つの陽イオンおよびＣｌ-、Ｂｒ-、Ｉ-、ＮＯ3-、ＨＣＯＯ-、ＣＨ3ＣＯＯ-、Ｈ2ＰＯ3-、ＨＰＯ32-、ＰＯ33-、ＳＯ42-、ＣＯ32-、ＨＣＯ3-、ＢＯ2-、ＰＦ6-、ピクレート-およびシトレート3-から構成される群から選択された少なくとも１つのアニオンを含有する塩；および
３）水性液体からなるゲル。
【請求項２】
式（Ｉ）の化合物中で、Ａが式ｉ）またはｉｉ）、但し、この場合Ｒ2およびＲ3は互いに独立して−Ｈまたは−ＯＨであるものとし、から選択され、Ｂが式ｖｉｉ）またはｘ）の一部分であり、かつＲ1およびＲ5が水素原子を表わす、請求項１記載のゲル。
【請求項３】
式（Ｉ）の化合物が
【化４】
2008538744.tif 000004
〔式中、Ｒ2およびＲ3は、互いに独立に−Ｈまたは−ＯＨである〕である、請求項１記載のゲル。
【請求項４】
式（Ｉ）の化合物がグアノシン−５′−ヒドラジドである、請求項１記載のゲル。
【請求項５】
塩が、式ＭyＸmの塩に対して中性の全電荷を生じるために、ＸがＣｌ-、ＮＯ3-、ＨＣＯＯ-、ＣＨ3ＣＯＯ-、ＨＣＯ3-、Ｈ2ＰＯ3-、ＨＰＯ32-、ＳＯ42-、ＣＯ32-、ＰＯ33-およびシトレート3-から構成される群から選択されたアニオンであり、ＭがＮａ+、Ｋ+、Ｓｒ2+、ＮＨ4+または（ＣＨ3）4Ｎ+から構成される群から選択された陽イオンであり、かつｙおよびｍが１、２または３から個別的に選択されているような式ＭyＸmを有する、請求項１から４までのいずれか１項に記載のゲル。
【請求項６】
水性液体が水であるかまたは水とエタノール、ジプロピレングリコールまたはプロピレングリコールとの均一な混合物である、請求項１記載のゲル。
【請求項７】
水性液体が５〜８から構成されたｐＨを有する、請求項１記載のゲル。
【請求項８】
次のもの：
少なくとも１つの活性物質および
請求項１に定義されたようなゲル、または請求項１に定義されたような前記ゲルの成分を混合することによって得ることができる活性ゲル。
【請求項９】
活性物質が芳香成分である、請求項８記載の活性ゲル。
【請求項１０】
請求項８記載のゲルを含有するかまたは当該ゲルと関連する消費製品。
【請求項１１】
芳香デバイスまたは衛生デバイス、おむつ手桶用フレッシュナー、自動車用フレッシュナー、クロゼット用フレッシュナー、猫砂の入った容器用フレッシュナー、靴用フレッシュナーまたは厨芥バケツ用フレッシュナー、練り歯磨き、化粧用クリームまたは製薬学的クリーム、ヘアケア製品またはボディケア製品、クリーニング製品、表面艶出し製品、殺虫剤、または昆虫誘引剤または昆虫忌避剤デバイスの形である、請求項１０記載の消費製品。
【請求項１２】
食品香料成分、芳香成分、医薬成分、昆虫誘引剤または昆虫忌避剤、または農薬をデリバリーする方法において、請求項８記載の有効量のゲル組成物を添加することを特徴とする、食品香料成分、芳香成分、医薬成分、昆虫誘引剤または昆虫忌避剤、または農薬をデリバリーする方法。
【請求項１３】
式
【化５】
2008538744.tif 000005
〔式中、Ｒ2およびＲ3は、互いに独立に−Ｈまたは−ＯＨである〕で示される化合物。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
第一の反応ゾーン及び第二の反応ゾーンを含む複数の反応ゾーンを持つ反応器において、アルキル化芳香族化合物を生産するプロセスであって、該プロセスは：
(a)  第一の原料及び第二の原料を第一の反応ゾーンに導入し、第一の原料はアルキル化可能な芳香族化合物を含み、第二の原料はアルケン及び少なくとも1重量%のアルカンを含み；
(b)  第一の原料及び第二の原料を第一の反応ゾーンで第一の触媒と接触させ、第一の流出物を生成し、第一の反応ゾーンは、第一の反応ゾーンが顕著に液相である様な条件に維持され、前記第一の原料中に存在するアルケンの少なくとも９０モルパーセントが変換され、及び前記第一の流出物はアルキル化芳香族化合物及びアルカンを含み；
(c)  前記第一の流出物から前記アルカンを分離することなく第一の流出物を冷却し；
(d)  冷却された第一の流出物の少なくとも一部及び第三の原料を第二の反応ゾーンに供給し、第三の原料はアルケンを含み；及び
(e)  冷却された第一の流出物の少なくとも一部及び第三の原料を、第二の反応ゾーンにおいて第二の触媒と接触させて第二の流出物を生成し、第二の反応ゾーンは、第二の反応ゾーンが顕著に液相である様な条件に維持され、前記反応器は、アルケンを本質的に完全に変換することができる様運転される、
ステップを含む、前記プロセス。
【請求項２】
前記第一及び第二の触媒はMCM-22,  MCM-36,  MCM-49,  MCM-56,  ベータゼオライト,フォージャサイト,モルデナイト,  PSH-3,  SSZ-25,  ERB-１、ITQ-１、ITQ-2,  ゼオライト  Y、超安定性Y（Ultrastable  Y  (USY)）、脱アルミニウム化Y（Dealuminized  Y）、希土類交換化Y(rare  earth  exchanged  Y  (REY)),  ZSM-3,  ZSM-4,  ZSM-18,  ZSM-20又は、これらの何れかの組合せよりなる群から独立に選択される分子篩である、請求項１のプロセス。
【請求項３】
ステップ(b)及び(e)の条件には、120から285℃の温度及び  689  から4601  kPa-a  (100  から667  psia)の圧力、アルケンの重量に基づくWHSVが0.1から10  h−1であることを含む、請求項１又は２のプロセス。
【請求項４】
前記第二及び第三の原料が、第一のアルケン成分及び第二のアルケン成分を含む、請求項１又は２のプロセス。
【請求項５】
前記第一のアルケン成分が９９モル%から100モル%のアルケンを含む、請求項４のプロセス。
【請求項６】
前記第二のアルケン成分が少なくとも２０モル%のアルケンを含む、請求項４又は５のプロセス。
【請求項７】
前記第二のアルケン成分は２０モル%から８０モル％のアルケンを含む、請求項４乃至６のいずれか1項のプロセス。
【請求項８】
前記第二の原料は第三の原料と同じ組成物を持つ、請求項１乃至７のいずれか1項のプロセス。
【請求項９】
前記第二の流出物を分離し、アルキル化芳香族化合物を回収するステップ（f）を更に含む、請求項１乃至８のいずれか1項のプロセス。
【請求項１０】
前記アルキル化芳香族化合物はエチルベンゼンを含み、第一の原料はベンゼンを含み、第二及び第三の原料はエチレン及びエタンの混合物を含む、請求項１乃至９のいずれか1項のプロセス。
【請求項１１】
前記アルキル化芳香族化合物はクメンを含み、第一の原料はベンゼンを含み、第二及び第三の原料はプロピレン及びプロパンの混合物を含む、請求項１乃至１０のいずれか1項のプロセス。
【請求項１２】
更に、第一の原料及び第四の原料をアルキル化触媒と、前記反応器の上流に位置するイパス可能な前反応器において接触させるステップを含み、第四の原料はアルケンを含む、請求項１乃至１１のいずれか1項のプロセス。
【請求項１３】
更に、アルキル化条件下で、第二の流出物を前記反応器の下流に位置する仕上げ反応器においてアルキル化触媒と接触させるステップを含む、請求項１乃至１２のいずれか1項のプロセス。
【請求項１４】
請求項1乃至８のいずれか1項に記載のアルキル化芳香族化合物を生成するプロセスであって、前記第二の流出物がアルキル化芳香族化合物及びポリアルキル化芳香族化合物を含み、該プロセスは更に：
(a)  第一及び/又は第二の流出物の少なくとも一部を分離し、ポリアルキル化芳香族化合物を回収して、トランスアルキル化原料流を形成し；及び
(b) トランスアルキル化原料流の少なくとも一部を、トランスアルキル化触媒の存在下で第四の原料と接触させ、トランスアルキル化条件下でトランスアルキル化流出物を生成し、前記第四の原料はアルキル化可能な芳香族化合物を含み、前記トランスアルキル化流出物はアルキル化芳香族化合物を含み、
前記トランスアルキル化触媒が、MCM-22,  MCM-36,  MCM-49,  MCM-56,  ベータゼオライト,フォージャサイト,モルデナイト,  PSH-3,  SSZ-25,  ERB-１、ITQ-１、ITQ-2,  ゼオライト  Y、超安定性Y（Ultrastable  Y  (USY)）,  脱アルミニウム化Y（Dealuminized  Y）、希土類交換化Y(rare  earth  exchanged  Y  (REY)),  ZSM-3,  ZSM-4,  ZSM-18,  ZSM-20又は、これらの何れかの組合せよりなる群から選択される分子篩であり、及び
前記トランスアルキル化条件は、約150から約260℃の温度,  696  から4137  kPa-a  (101から600psia)の圧力、ポリアルキル芳香族化合物の重量に基づくWHSVが約0.5から100h‐1、アルキル化可能な芳香族化合物のポリアルキル化芳香族化合物とのモル比は1：1から10：1であることを含む、前記プロセス。
【請求項１５】
更に、アルキル化芳香族化合物を回収するためにトランスアルキル化流出物を分離するステップ（c）を含む、請求項１４のプロセス。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
プテロイン酸、プテロイン酸誘導体、プテロイン酸類縁体、またはそれらの混合物を精製する方法であって、
(a)プテロイン酸、プテロイン酸誘導体、プテロイン酸類縁体、またはそれらの混合物を含む溶液を、イオン交換クロマトグラフィー支持体に接触させる工程、
(b)10以上のpHを持つ移動相によって、プテロイン酸、プテロイン酸誘導体、またはプテロイン酸類縁体を含む第１の分画を溶出させる工程、
(c)第１の分画のpHを3以下に下げる工程、および
(d)プテロイン酸、プテロイン酸誘導体、またはプテロイン酸類縁体を沈殿させる工程
を含む方法。
【請求項２】
前記溶液が、葉酸、葉酸誘導体、またはそれらの混合物をさらに含むことを特徴とする、請求項１の方法。
【請求項３】
(e)葉酸、または葉酸誘導体を含む第２の分画を溶出させる工程、をさらに含み、前記第１の分画と第２の分画とは実質的に分離されていることを特徴とする、請求項２の方法。
【請求項４】
前記イオン交換クロマトグラフィー支持体が、サッカリド系イオン交換樹脂を含むことを特徴とする、請求項１〜３のいずれかの方法。
【請求項５】
前記イオン交換クロマトフラフィー支持体が、サッカリド系陰イオン交換樹脂を含むことを特徴とする、請求項１〜３のいずれかの方法。
【請求項６】
前記イオン交換クロマトフラフィー支持体が、セルロース、アミロース、またはそれらの組み合わせを含むサッカリド系陰イオン交換樹脂を含むことを特徴とする、請求項１〜３のいずれかの方法。
【請求項７】
前記イオン交換クロマトフラフィー支持体が、セファデックスDEAE、セファデックスQA、PEIセルロース、QAセルロース、DEAEセルロース、およびそれらの組み合わせから成るグループから選ばれるサッカリド系陰イオン交換樹脂を含むことを特徴とする、請求項１〜３のいずれかの方法。
【請求項８】
前記移動相が、11以上のpHを持つことを特徴とする、請求項１〜３のいずれかの方法。
【請求項９】
前記移動相が、11から13の範囲のpHを持つことを特徴とする、請求項１〜３のいずれの方法。
【請求項１０】
前記移動相が、アンモニアまたはその塩を実質的に含まないことを特徴とする、請求項１〜３のいずれの方法。
【請求項１１】
前記沈殿させる工程が、95重量%以上の純度を有する沈殿物をもたらすことを特徴とする、請求項１〜３のいずれかの方法。
【請求項１２】
前記沈殿させる工程が、98重量%以上の純度を有する沈殿物をもたらすことを特徴とする、請求項１〜３のいずれかの方法。
【請求項１３】
前記沈殿させる工程が、99重量%以上の純度を有する沈殿物をもたらすことを特徴とする、請求項１〜３のいずれかの方法。
【請求項１４】
前記沈殿させる工程が、葉酸を実質的に含まない沈殿物をもたらすことを特徴とする、請求項１〜３のいずれかの方法。
【請求項１５】
前記プテロイン酸誘導体が、下式：
2008538743.tif 000001
の誘導体であることを特徴とする、請求項１〜３のいずれかの方法。
【請求項１６】
前記プテロイン酸誘導体が、下式：
2008538743.tif 000002
の誘導体であることを特徴とする、請求項１の方法。
【請求項１７】
プテロイン酸、プテロイン酸誘導体、プテロイン酸類縁体、またはそれらの混合物を精製する方法であって、
(a)プテロイン酸、プテロイン酸誘導体、プテロイン酸類縁体、またはそれらの混合物を含む溶液を、セファデックスDEAE、セファデックスQA、PEIセルロース、QAセルロース、DEAEセルロース、およびそれらの組み合わせから成るグループから選ばれる陰イオン交換クロマトグラフィー支持体に接触させる工程、および
(b)プテロイン酸、プテロイン酸誘導体、またはプテロイン酸類縁体を含む第１の分画を溶出させる工程
を含む方法。
【請求項１８】
プテロイン酸、その誘導体、またはプテロイン酸類縁体と、フルオレセイン、またはフルオレセイン誘導体とを含む、結合体を精製する方法であって、
(a)第１の逆相クロマトグラフィー支持体に、結合体を含む溶液を接触させる工程、
(b)リン酸塩を含み6から8の範囲のpHを有する移動相によって、結合体のリン酸塩複合体を含む第１の分画を溶出させる工程、
(c)第２の逆相クロマトグラフィー支持体に、結合体のリン酸塩複合体の溶液を接触させる工程、および
(d)水を含む移動相によって、結合体を含む第２の分画を溶出させる工程であって、該第２の分画は実質的にリン酸塩を含まないことを特徴とする工程
を含む方法。
【請求項１９】
前記結合体が、下式：
2008538743.tif 000003
の化合物であることを特徴とする、請求項１８の方法。
【請求項２０】
前記溶出させる工程(b)および前記溶出させる工程(d)において、前記移動相がアセトニトリルをさらに含むことを特徴とする、請求項１８の方法。
【請求項２１】
下式：
2008538743.tif 000004
の化合物を調製する方法であって、
下式：
2008538743.tif 000005
の化合物を、下式：
2008538743.tif 000006
の化合物と反応させる工程を含む方法。
（上記の式中、WaはOHであって、Wbは下式：
2008538743.tif 000007
の化合物であるか、あるいは、Waは下式：
2008538743.tif 000008
の化合物であって、WbはHであり、
R1およびR2は、水素および窒素保護基から成るグループからそれぞれ独立に選ばれるか、あるいは、R1およびR2は共に結合して窒素保護基を形成し、
R3およびR4は、水素および窒素保護基から成るグループからそれぞれ独立に選ばれ、
R5は、水素、またはカルボン酸保護基であり、
ｎは、0、1、2、3、および4から成るグループから選ばれる整数であり、
ｍは、1、2、3、および4から成るグループから選ばれる整数であり、
R６およびR７は、水素および窒素保護基から成るグループからそれぞれ独立に選ばれるか、R６およびR７は共に結合して窒素保護基を形成するか、あるいは、R6はHであって、R7は下式：
2008538743.tif 000009
の化合物であり、かつ、
R９は、水素またはアルキル基である。）
【請求項２２】
R５が水素であり、R９がメチルであることを特徴とする、請求項２１の方法。
【請求項２３】
下式：
2008538743.tif 000010
の化合物、または、その製薬学的に受容可能な塩、水和物、もしくは溶媒化合物であって、少なくとも95モルパーセント、または少なくとも95重量%の純度を持つ形で単離されることを特徴とする化合物。
【請求項２４】
1種以上のビスフルオレセイン成分を実質的に含まない形としてさらに単離されることを特徴とする、請求項２３の化合物。
【請求項２５】
哺乳動物における病原細胞集団の内因性免疫反応介在性除去を強化するための薬物の製造における、有効量のリガンド-フルオレセイン結合体を含む組成物の使用方法であって、前記組成物が、1種以上のビスフルオレセイン成分を実質的に含まないことを特徴とする方法。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
少なくとも１つの低分子量分散剤を含む水溶液または非水溶液に懸濁された複数の無機ナノワイヤーを含むナノワイヤー分散組成物であって、前記ナノワイヤーが前記ナノワイヤーの最外面上に熱成長酸化物層を含むナノワイヤー分散組成物。
【請求項２】
前記分散剤が非イオン性または高分子界面活性剤から選択されるか、又は
前記分散剤が非イオン性シルウェット界面活性剤、サーフィノール界面活性剤、プルロニック高分子界面活性剤、ブロック共重合体、シロキサン、およびそれらの組み合わせまたは混合物からなる群から選択されるか、又は
前記分散剤が約２０未満のＨＬＢ値を有するか、又は
前記分散剤が約１０未満のＨＬＢ値を有するか、又は
前記分散剤が約５，０００未満の分子量を有するか、又は
前記分散剤が約３，０００未満の分子量を有するか、又は
前記分散剤が約３，０００未満の分子量を有する、請求項１に記載のナノワイヤー分散組成物。
【請求項３】
前記ナノワイヤーが前記水溶液または非水溶液に懸濁される前に酸化されるか、又は
前記ナノワイヤーが前記水溶液または非水溶液に懸濁される前にＲＴＯチャンバーで熱酸化される、請求項１に記載のナノワイヤー分散組成物。
【請求項４】
前記少なくとも１つの分散剤がブロック共重合体、ジブロック共重合体、又はプルロニックＬ−３１、Ｌ−６２もしくはＬ−８１を含む、請求項１に記載のナノワイヤー分散組成物。
【請求項５】
０．０１〜２０重量％分散剤を含むか、又は
約１．０〜１５重量％分散剤を含むか、又は
約１〜８重量％分散剤を含むか、又は
１つもしくはそれ以上のバインダーをさらに含み、前記１つもしくはそれ以上のバインダーがポリビニルアルコール、ポリビニルピロリドン、メチルセルロース、およびヒドロキシエチルセルロースからなる群から選択された１つもしくはそれ以上の水溶性ポリマーを適宜含む、請求項１に記載のナノワイヤー分散組成物。
【請求項６】
アンモニウムポリアクリレートアクリゾール、ＰＶＡ、およびＰＶＰからなる群から選択された長鎖高分子分散剤をさらに含む、請求項１に記載のナノワイヤー分散組成物。
【請求項７】
前記複数のナノワイヤーが半導体または金属酸化物ナノワイヤーを含むか、又は
前記複数のナノワイヤーがシリコンナノワイヤーを含む、請求項１に記載のナノワイヤー分散組成物。
【請求項８】
上に薄膜として堆積された請求項１に記載のナノワイヤー分散組成物を含むフレキシブル基板、又は
上に薄膜として堆積された請求項１に記載のナノワイヤー分散組成物を含むリジッド基板、又は
上に薄膜として堆積された請求項１に記載のナノワイヤー分散組成物を含むアクティブマトリックスディスプレイ・バックプレーン、又は
請求項１に記載のナノワイヤー分散組成物が上に薄膜としてコートされたプラスチック基板。
【請求項９】
前記複数のナノワイヤーが約１０より大きいアスペクト比、約１００より大きいアスペクト比、又は約１０００より大きいアスペクト比を有する、請求項１に記載のナノワイヤー分散組成物。
【請求項１０】
少なくとも１つの低分子量ブロック共重合体分散剤を含む水溶液または非水溶液に懸濁された複数の無機ナノワイヤーを含むナノワイヤー分散組成物であって、前記ナノワイヤーが前記ナノワイヤーの最外面上に熱成長酸化物層を含むナノワイヤー分散組成物。
【請求項１１】
低分子量分散剤を水溶液または非水溶液へ導入することを含む、前記水溶液または非水溶液への複数の無機ナノワイヤーの分散性を改善する方法。
【請求項１２】
ナノワイヤーを水溶液または非水溶液に分散させる前に非化学的酸化プロセスを用いて前記ナノワイヤーを酸化することを含む、前記溶液への複数の無機ナノワイヤーの分散性を改善する方法。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
８〜２４  mmol  NaF/100g  TCP及び／又は５〜４５  mmol  LiCl/100g  TCPを含む、吸収可能な二相性リン酸カルシウム（BCP)又はリン酸三カルシウム（TCP)。
【請求項２】
骨（再）発生の足場の形態を有する、請求項１に記載のリン酸カルシウム。
【請求項３】
該リン酸カルシウムがリン酸カルシウムのセラミック、セメント若しくは被覆、又はリン酸カルシウムを含有するガラス若しくは複合物の形態にある、請求項１又は２に記載のリン酸カルシウム。
【請求項４】
該リン酸カルシウムが更に、１以上の骨成長因子、脱ミネラル化された骨マトリックス（ＤＢＭ）及び／又はミネラル化された骨粒子を含む、請求項１〜３のいずれか１項に記載のリン酸カルシウム。
【請求項５】
請求項１〜４のいずれか１項に記載のリン酸カルシウムを含む、骨（再）発生の足場。
【請求項６】
更に、幹細胞、骨原性細胞、及び／又は骨前駆細胞を含む、請求項５に記載の骨（再）発生の足場。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
少なくとも１種の揮発性助剤を用いる多段式精留によって、１種又はそれ以上の難揮発性流体から１種又はそれ以上の揮発性成分を分離する方法であって、
精留装置塔底において、使用する助剤または助剤混合物が、その分圧によって、圧力の大部分の割合に寄与すること、
精留装置塔底の圧力と、精留装置塔底における助剤もしくは助剤混合物の分圧との差が１０ミリバール以下であること、ならびに
使用する助剤または助剤混合物の大部分は、塔底の難揮発性流体と共に精留装置から出ることを特徴とする方法。
【請求項２】
難揮発性流体は、少なくとも１種のイオン性液体であることを特徴とする請求項１に記載の方法。
【請求項３】
難揮発性流体は、少なくとも１種のポリマーであることを特徴とする請求項１に記載の方法。
【請求項４】
選択的添加剤として難揮発性液体を用いて、物質の混合物を分離するための方法であって、請求項１〜３のいずれかに記載の方法において、揮発性成分から難揮発性流体を分離することを特徴とする方法。
【請求項５】
抽出精留によって流体を分離する方法であって、請求項１〜３のいずれかに記載の方法において、揮発性成分から分離された少なくとも１種の難揮発性流体を添加溶剤として用いることを特徴とする方法。
【請求項６】
液−液抽出によって流体を分離する方法であって、請求項１〜３のいずれかに記載の方法において、揮発性成分から分離され、および、抽出相において少なくとも１種の物質の濃縮作用を行う、少なくとも１種の難揮発性流体を溶剤として用いることを特徴とする方法。
【請求項７】
膜分離方法、特に、パートラクション、電気泳動、エレクトロフィルトレーションによって流体を分離する方法であって、請求項１〜３のいずれかに記載の方法において、揮発性成分から分離された少なくとも１種の難揮発性流体を溶剤として用いることを特徴とする方法。
【請求項８】
化学反応を行う方法であって、請求項１〜３のいずれかに記載の方法において、揮発性成分から分離された、少なくとも１種の難揮発性流体が反応に存在することを特徴とする方法。
【請求項９】
助剤は精製すべき難揮発性流体と共に再利用することができ、および／もしくは助剤を除去する必要なしに実質的に循環されることを特徴とする請求項４〜８のいずれかに記載の方法。
【請求項１０】
請求項１〜９のいずれかに記載の方法によって得られる生成物。
【手続補正２】
【補正対象書類名】明細書
【補正対象項目名】００５７
【補正方法】変更
【補正の内容】
【００５７】
式５で示されるイミダゾリウムイオンは、互いに独立して、Ｒ１はメチル基、エチル基、ｎプロピル基、ｎ−ブチル基、ｎ−ペンチル基、ｎ−オクチル基、ｎ−デシル基、ｎ−ドデシル基、２−ヒドロキシエチル基、もしくは２−シアノエチル基から成る群から選ばれ、Ｒ７はアセチル基、メチル基、エチル基もしくはｎ−ブチル基であり、Ｒ２からＲ４は、互いに独立して、水素、メチル基もしくはエチル基であることが特に好ましい。
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
成形組成物の密度が０．９４０〜０．９６ｇ／ｃｍ３の範囲にあり、ＭＩが０．５〜１０ｇ／１０ｍｉｎの範囲にあり、多分散度Ｍｗ／Ｍｎが３〜２０の範囲にあり、１０００個の炭素原子あたりの分枝が０．１〜１０の範囲にあり、質量平均分子量Ｍｗが５００００ｇ／ｍｏｌ〜１５００００ｇ／ｍｏｌの範囲にある、エチレン重合体系単峰性成形組成物。
【請求項２】
１０００個の炭素原子あたりの分枝は０．２〜５の範囲にある、請求項１に記載の単峰性成形組成物。
【請求項３】
多分散度Ｍｗ／Ｍｎは３．２〜９の範囲にある、請求項１又は２に記載の単峰性成形組成物。
【請求項４】
５０％未満のＣＤＢＩを有する、請求項１〜３のいずれかに記載の単峰性成形組成物。
【請求項５】
請求項１〜４のいずれかに記載の単峰性成形組成物を含む射出成形体。
【請求項６】
ＡＳＴＭ  Ｄ  １００３−００に準拠するヘイズが８０％未満である請求項５に記載の射出成形体。
【請求項７】
スクリュークロージャー又はパイプ取り付け用具の形態である請求項５又は６に記載の射出成形体。
【請求項８】
請求項１〜４のいずれかに記載の単峰性成形組成物を含むスクリュークロージャー（screw closure）。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
それを必要とする対象の、骨の老化または骨粗しょう症を抑制しまたはその発病リスクを減少させる経皮投与用水性アルコールゲル医薬組成物であって、
ａ．０．１％から１０％（ｗ／ｗ）のテストステロンまたはその塩、エステル、アミド、光学異性体、異性体、互変異性体、プロドラッグ、若しくはその誘導体
テストステロン合成系のステロイド、
ｂ．０．１％から５％（ｗ／ｗ）の浸透促進剤、
ｃ．０．１％から５％（ｗ／ｗ）の増粘剤、
ｄ．４５％から９８％（ｗ／ｗ）の低級アルコール、および
ｅ．バランス純水、
を含有し、
前記組成物は、前記組成物を皮膚に適用後、前記対象の血清に一日当たり少なくとも１０μｇのステロイドを運搬する速度及び期間でステロイドを放出することができる；前記割合は前記組成物の重量に対する重量を示す。
【請求項２】
前記組成物が、１％のテストステロン、またはその塩、エステル、アミド、鏡像異性体、異性体、互変異性体、プロドラッグ若しくは誘導体を含有する請求項１の水性アルコールゲル。
【請求項３】
前記浸透促進剤がミリスチン酸イソプロピルである請求項１または２の水性アルコールゲル。
【請求項４】
該増粘剤がポリアクリル酸を含有する請求項１から３いずれかの水性アルコールゲル。
【請求項５】
前記低級アルコールが４５％から９０％のエタノールまたはイソプロパノール含有する請求項１から４いずれかの水性アルコールゲル。
【手続補正２】
【補正対象書類名】明細書
【補正対象項目名】発明の名称
【補正方法】変更
【補正の内容】
【発明の名称】骨の老化または骨粗しょう症の治療または予防用組成物
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
a） 医薬として有効な量のジプラシドン遊離塩基またはその医薬的に許容できる塩よりなる群から選択される化合物であって、約2000 nm未満の平均粒径を有するナノ粒子の形の化合物；
b） 医薬的に許容できるキャリヤー；および
c） 少なくとも2種類の表面安定剤
を含み、表面安定剤のうち少なくとも１種類が該ナノ粒子の表面に吸着しており、表面安定剤の総量がナノ粒子の平均粒径を維持するのに有効なものである、医薬製剤。
【請求項２】
医薬として有効な量のジプラシドン遊離塩基およびその医薬的に許容できる塩から選択される化合物であって、約2000 nm未満の平均粒径を有するナノ粒子の形の化合物；ならびに医薬的に許容できるキャリヤーを含む、医薬製剤。
【請求項３】
少なくとも１種類の表面安定剤を含む、請求項２に記載の製剤。
【請求項４】
ナノ粒子が約1000 nm未満の平均粒径を有する、請求項１〜３のいずれか１項に記載の製剤。
【請求項５】
化合物の重量が製剤の全容量の少なくとも約15重量％である、請求項１〜４のいずれか１項に記載の製剤。
【請求項６】
化合物の重量が製剤の全容量の少なくとも約20〜約60重量％である、請求項１〜５のいずれか１項に記載の製剤。
【請求項７】
少なくとも2種類の表面安定剤を含み、表面安定剤のうちの１種類が、結晶化阻害剤、アニオン界面活性剤、カチオン界面活性剤、両性界面活性剤、非イオン界面活性剤およびポリマー界面活性剤よりなる群から選択され；表面安定剤のうちの他のものが、アニオン界面活性剤、カチオン界面活性剤、両性界面活性剤、非イオン界面活性剤およびポリマー界面活性剤よりなる群から選択される、請求項１〜６のいずれか１項に記載の製剤。
【請求項８】
少なくとも2種類の表面安定剤を含み、表面安定剤のうちの１種類が第１の界面活性剤であり、この第１の界面活性剤がポリビニルピロリドンおよびプルロニック(登録商標)F108よりなる群から選択され；表面安定剤のうちの他のものが第２の界面活性剤であり、この第２の界面活性剤がラウリル硫酸ナトリウム、ポリオキシエチレン(20)ソルビタンモノオレエート、プルロニック(登録商標)F108およびプルロニック(登録商標)F68よりなる群から選択される、請求項７に記載の製剤。
【請求項９】
固体医薬製剤である、請求項１〜８のいずれか１項に記載の製剤。
【請求項１０】
液体医薬製剤である、請求項１〜８のいずれか１項に記載の製剤。
【請求項１１】
注射用デポ製剤として用いられる、請求項１〜１０のいずれか１項に記載の製剤。
【請求項１２】
ナノ粒子が約2000 nm未満の平均粒径を有する、ジプラシドン遊離塩基または医薬的に許容できるジプラシドン塩のナノ粒子。
【請求項１３】
少なくとも１種類の表面安定剤を含む、請求項１２に記載のナノ粒子。
【請求項１４】
少なくとも2種類の表面安定剤を含む、請求項１２または１３に記載のナノ粒子。
【請求項１５】
少なくとも１種類の表面安定剤が表面に吸着している、請求項１３または１４に記載のナノ粒子。
【請求項１６】
約120nmから1000 nm未満の平均粒径を有する、請求項１２〜１５のいずれか１項に記載のナノ粒子。
【請求項１７】
約120〜約400 nmの平均粒径を有する、請求項１６に記載のナノ粒子。
【請求項１８】
約1500 nm未満の平均粒径を有する、請求項１６に記載のナノ粒子。
【請求項１９】
ジプラシドン遊離塩基または医薬的に許容できるジプラシドン塩が、ジプラシドン遊離塩基、塩酸ジプラシドンまたはメシル酸ジプラシドンである、請求項１２〜１８のいずれか１項に記載のナノ粒子。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
病原体によって引き起こされる感染症を処置するために、それを必要とする対象に投与するための組成物であって、分子シャペロンの機能を阻害する1つまたは複数の化合物の有効量を含み、該化合物がチゾキサニド（tizoxanide）またはニタゾキサニド（nitazoxanide）以外である、前記組成物。
【請求項２】
分子シャペロンがタンパク質ジスルフィドイソメラーゼである、請求項1記載の組成物。
【請求項３】
病原体が、寄生虫、細菌、ウイルス、ネオスポラ・カニナム（Neospora caninum）、および真菌からなる群より選択される、請求項1記載の組成物。
【請求項４】
化合物がペプチド結合を含む、請求項1記載の組成物。
【請求項５】
化合物が式R1-NHCO-R2で表され、ここでR1およびR2が生体液および生物組織におけるNHCO基の切断を減少させる部分から独立して選択される、請求項1記載の組成物。
【請求項６】
R1およびR2がどちらも置換された、または置換されていない環である、請求項5記載の組成物。
【請求項７】
R1が置換された、または置換されていない複素環基であり、R2が置換された、または置換されていないアリール基である、請求項5記載の組成物。
【請求項８】
R1が置換された、または置換されていないチアゾールまたはチアジアゾール環であり、R2が置換された、または置換されていないベンゼンである、請求項6記載の組成物。 
【請求項９】
R1およびR2が、OH、アルコキシ、フルオロ、アルキル、エステル、およびチオアルキルからなる群より独立して選択される1〜3個の置換基でそれぞれ置換されている、請求項6記載の組成物。
【請求項１０】
環が複素環基および炭素環基から選択される、請求項6記載の組成物。
【請求項１１】
炎症性疾患を処置するために、それを必要とする対象に投与するための組成物であって、分子シャペロンの機能を阻害する1つまたは複数の化合物の有効量を含む、前記組成物。
【請求項１２】
分子シャペロンがタンパク質ジスルフィドイソメラーゼである、請求項11記載の組成物。
【請求項１３】
自己免疫疾患を処置するために、それを必要とする対象に投与するための組成物であって、分子シャペロンの機能を阻害する1つまたは複数の化合物の有効量を含む、前記組成物。
【請求項１４】
分子シャペロンがタンパク質ジスルフィドイソメラーゼである、請求項13記載の組成物。
【請求項１５】
癌を処置するために、それを必要とする対象に投与するための組成物であって、分子シャペロンの機能を阻害する1つまたは複数の化合物の有効量を含む、前記組成物。
【請求項１６】
分子シャペロンがタンパク質ジスルフィドイソメラーゼである、請求項15記載の組成物。
【請求項１７】
病原体生物または動物細胞から単離された分子シャペロンの活性部位に計算機化学を適用する段階、活性部位を阻害すると予想される化合物を同定する段階、および任意で、1つまたは複数の細胞培養、動物モデル、または臨床試験において活性を試験することによって化合物の生物活性をさらに決定する段階を含む、疾患を処置するために適した化合物を同定する方法。
【請求項１８】
分子シャペロンがタンパク質ジスルフィドイソメラーゼである、請求項17記載の方法。
【請求項１９】
疾患を処置するために、それを必要とする対象に投与するための組成物であって、請求項17記載の方法によって同定された化合物を含む、前記組成物。
【請求項２０】
（i）それぞれの用量が分子シャペロンの機能を阻害するのに有効な量を提供する、1つまたは複数の単位用量に包装された、分子シャペロンを阻害する化合物、（ii）薬学的に許容される担体または希釈剤、および分子シャペロンの阻害を可能にする条件下で化合物を投与するための説明書を含む、キット。
【請求項２１】
分子シャペロンがタンパク質ジスルフィドイソメラーゼである、請求項20記載のキット。
【請求項２２】
病原体によって引き起こされる感染症を処置するために、それを必要とする対象に投与する組成物であって、タンパク質の成熟を遮る1つまたは複数の化合物の有効量を含み、該化合物がチゾキサニドまたはニタゾキサニド以外であり、かつ該化合物が式R1-NHCO-R2で表され、ここでR1およびR2が生体液および生物組織におけるNHCO基の切断を減少させる部分から独立して選択される、前記組成物。
【請求項２３】
病原体が、寄生虫、細菌、ウイルス、および真菌からなる群より選択される、請求項22記載の組成物。 
【請求項２４】
R1およびR2がどちらも置換された、または置換されていない環である、請求項22記載の組成物。
【請求項２５】
R1が置換された、または置換されていない複素環基であり、R2が置換された、または置換されていないアリール基である、請求項24記載の組成物。
【請求項２６】
R1が置換された、または置換されていないチアゾールまたはチアジアゾール環であり、R2が置換された、または置換されていないベンゼンである、請求項24記載の組成物。
【請求項２７】
R1およびR2が、OH、アルコキシ、フルオロ、アルキル、エステル、およびチオアルキルからなる群より独立して選択される1〜3個の置換基でそれぞれ置換されている、請求項24記載の組成物。
【請求項２８】
環が複素環基および炭素環基から選択される、請求項24記載の組成物。
【請求項２９】
R1が置換された、または置換されていないベンゼン環であり、R2が置換された、または置換されていないベンゼン環である、請求項24記載の組成物。
【請求項３０】
化合物がタンパク質ジスルフィドイソメラーゼの機能を阻害する、請求項24記載の組成物。
【請求項３１】
化合物が式R1-NHCO-R2で表され、ここでR1およびR2が生体液および生物組織におけるNHCO基の切断を減少させる部分から独立して選択される、請求項11記載の組成物。
【請求項３２】
化合物が式R1-NHCO-R2で表され、ここでR1およびR2が生体液および生物組織におけるNHCO基の切断を減少させる部分から独立して選択される、請求項13記載の組成物。 
【請求項３３】
化合物が式R1-NHCO-R2で表され、ここでR1およびR2が生体液および生物組織におけるNHCO基の切断を減少させる部分から独立して選択される、請求項15記載の組成物。
【請求項３４】
化合物が表1から選択される、請求項6記載の組成物。
【請求項３５】
化合物が表1から選択される、請求項11記載の組成物。
【請求項３６】
化合物が表1から選択される、請求項13記載の組成物。
【請求項３７】
化合物が表1から選択される、請求項15記載の組成物。
【請求項３８】
化合物が表1から選択される、請求項22記載の組成物。